(57)【要約】【課題】本発明は、トナーの転写状態の変化に対応して転写バイアスをきめ細かく設定することができる画像形成装置を提供することを目的とするものである。【解決手段】記録制御部１０９の制御回路１１０は、転写電圧印加回路４３の可変抵抗回路４６を調整して定電圧源４５から転写ローラ２０に印加される電圧を制御する。転写電圧印加回路４３と転写ローラ２０との間には電流検知回路４４が接続されている。電流検知回路４４は、感光体ドラム１９と転写ローラ２０との間に流れる電流を検知して制御回路１１０にフィードバックする。制御回路１１０は、検知された電流に対応する関数を設定関数群１１３から選択して転写電圧の設定に用いる。そして、テストパターンを像形成して転写前後の濃度変化を濃度検知センサ６３及び６４で検知し、検知された転写状態によりオフセット値をオフセット設定テーブル１１２から読み出して設定された転写電圧を調整する。【選択図】図４
2006343525.tif 000002
【特許請求の範囲】
【請求項１】
像担持体と、前記像担持体にトナー像を形成する像形成手段と、前記像担持体に当接するとともに前記像担持体に形成された像を用紙に転写する転写手段とを備え、前記像担持体を回転制御するとともに前記像形成手段及び前記転写手段を制御して用紙に画像形成する画像形成装置において、前記像形成手段により前記像担持体に複数の異なるテストパターンを像形成するパターン像形成制御手段と、前記像形成手段により形成された前記テストパターンの転写前後の濃度変化を検知する濃度検知手段と、前記濃度検知手段の検知結果に対応して予め設定された転写バイアスのオフセット値を記憶する記憶手段と、前記濃度検知手段からの検知信号に基づいて前記記憶手段からオフセット値を読み出して前記転写手段の転写バイアスを制御する転写制御手段とを備えていることを特徴とする画像形成装置。
【請求項２】
前記オフセット値は、装置内の温度又は湿度に対応して設定されていることを特徴とする請求項１に記載の画像形成装置。
【請求項３】
前記オフセット値は、前記転写手段及び前記像担持体の間に発生する電圧又は電流に対応して設定されていることを特徴とする請求項１に記載の画像形成装置。
【請求項４】
前記オフセット値は、用紙の記録枚数に対応して設定されていることを特徴とする請求項１に記載の画像形成装置。
【請求項５】
前記オフセット値は、前記像形成手段にトナーを補給するトナーカットリッジの初期充填量に対応して設定されていることを特徴とする請求項１に記載の画像形成装置。
【請求項６】
前記オフセット値は、前記像形成手段におけるトナー残量に対応して設定されていることを特徴とする請求項１に記載の画像形成装置。
【発明の詳細な説明】
【技術分野】
【０００１】
本発明は、複写機、プリンタ、ファクシミリ装置などの画像形成装置に関する。
【背景技術】
【０００２】
電子写真方式の画像形成装置としては、像担持体として例えば感光体ドラムを用いて、その表面を帯電して露光することで静電潜像を形成し、静電潜像にトナーを付着させて可視像化し用紙に転写するといった画像形成を行うものが知られている。こうした画像形成装置では、感光体ドラムの表面に画像形成に必要な処理として、現像、転写、クリーニングといったプロセス処理が行われ、それぞれのプロセス処理では印加電圧を制御して感光体ドラムの表面にトナーを付着又は離脱させるようにコントロールしている。
【０００３】
近年、画像形成する用紙の多様化や画素密度の高度化に対応するために、様々な改良工夫が行われてきており、上述したプロセス処理での印加電圧をきめ細かく制御することはその中の主要な課題である。例えば、特許文献１では、印刷状況ごとの転写電圧印加設定値を記憶しておき、印刷色モードと印刷状況の変化に応じて記憶された設定値を選択して転写を行う点が記載されている。また、特許文献２では、湿度を検知する湿度検知手段を設け、湿度検知手段の検知結果に基づいて処理バイアスを変化させるようにした点が記載されている。また、特許文献３では、転写ドラムにテストパッチ像による画像を形成し、形成されたテストパッチ像の濃度を検知して現像バイアス電圧を制御するようにした点が記載されている。
【特許文献１】特開２００２−２１４９２５号公報
【特許文献２】特開２００２−２１４９３１号公報
【特許文献３】特開平１１−２１２３１５号公報
【発明の開示】
【発明が解決しようとする課題】
【０００４】
上述した画像形成装置では、用紙の多様化や画素密度の高度化とともにその用途も多様化しており、それぞれの用途に合せて装置の設計が行われている。その際に、トナーを補給するトナーカートリッジの初期充填量についても用途に合せてきめ細かく設定されるようになってきている。したがって、装置のタイプによってトナーカートリッジ内の初期充填量が異なってくることから、装置の使用時間に応じたトナー残量は装置のタイプによって異なり一定とはならない。そのため、従来技術のように使用時間に応じたトナー消費量の推移を所定のパターンに設定して転写バイアスを制御すると、装置のタイプによっては正常な転写が行われなくなるおそれがある。
【０００５】
例えば、トナー残量が少なくなってくるとトナーの帯電特性が低下してくるが、それに合せて転写バイアスが印加されないとトナーが用紙に引き寄せる力が強くなって、いわゆる過転写といった現象が生じるようになる。
【０００６】
そこで、本発明は、トナーの転写状態の変化に対応して転写バイアスをきめ細かく設定することができる画像形成装置を提供することを目的とするものである。
【課題を解決するための手段】
【０００７】
本発明に係る画像形成装置は、像担持体と、前記像担持体にトナー像を形成する像形成手段と、前記像担持体に当接するとともに前記像担持体に形成された像を用紙に転写する転写手段とを備え、前記像担持体を回転制御するとともに前記像形成手段及び前記転写手段を制御して用紙に画像形成する画像形成装置において、前記像形成手段により前記像担持体に複数の異なるテストパターンを像形成するパターン像形成制御手段と、前記像形成手段により形成された前記テストパターンの転写前後の濃度変化を検知する濃度検知手段と、前記濃度検知手段の検知結果に対応して予め設定された転写バイアスのオフセット値を記憶する記憶手段と、前記濃度検知手段からの検知信号に基づいて前記記憶手段からオフセット値を読み出して前記転写手段の転写バイアスを制御する転写制御手段とを備えていることを特徴とする。さらに、前記オフセット値は、装置内の温度又は湿度に対応して設定されていることを特徴とする。さらに、前記オフセット値は、前記転写手段及び前記像担持体の間に発生する電圧又は電流に対応して設定されていることを特徴とする。さらに、前記オフセット値は、用紙の記録枚数に対応して設定されていることを特徴とする。さらに、前記オフセット値は、前記像形成手段にトナーを補給するトナーカットリッジの初期充填量に対応して設定されていることを特徴とする。さらに、前記オフセット値は、前記像形成手段におけるトナー残量に対応して設定されていることを特徴とする。
【発明の効果】
【０００８】
上記のような構成を有することで、濃度検知手段の検知結果に対応して予め設定された転写バイアスのオフセット値を記憶しておき、像形成手段により像形成された複数の異なるテストパターンの転写前後の濃度変化を検知し、検知結果に基づいて転写バイアスのオフセット値を読出し転写バイアスを制御するようにしたので、トナーの転写状態に応じて適宜転写バイアスを変更することが可能となる。なお、転写バイアスとは、定電圧制御の場合には印加される転写電圧であり、定電流制御の場合には印加される転写電流である。
【０００９】
例えば、上述したように、トナー残量が少なくなるとトナーの帯電特性が低下してくることから、過転写の現象が発生するようになるが、転写バイアスを適当なオフセット値で相殺することで転写バイアスを小さくして過転写の現象を防止することができる。過転写の現象は、例えば、ハーフトーン（網目）とソリッド（ベタ）の異なるテストパターンで検知することができる。ソリッドに比べてハーフトーンの方がトナーの過転写が発生しやすいため、ハーフトーンの濃度の方がより薄くなっている場合に過転写が発生していると検知することができる。
【００１０】
したがって、所定のパラメータ（例えば、用紙の種類（普通紙、封筒、ＯＨＰ、はがき）及びサイズ、Ｂ／Ｗ比（画像データの１ライン毎の黒と白のドット数比率）及び裏面記録が否かといったパラメータ）に対応して転写バイアスの最適値を適宜設定しておいた場合でも、トナーの転写状態に応じてオフセット値を用いることでさらにきめ細かく転写バイアスが最適化するように調整することができる。
【００１１】
転写バイアスの最適化調整に用いるパラメータとしては、例えば、装置内の温度又は湿度、転写手段の印加電圧又は印加電流、用紙の記録枚数、像形成手段にトナーを補給するトナーカットリッジの初期充填量、像形成手段におけるトナー残量といったものが挙げられる。いずれのパラメータもそれが変化することでトナーの転写状態に影響を及ぼすもので、パラメータの変化に対応してトナーの転写状態が最適化されるようオフセット値により調整される。そして、こうしたパラメータにより転写バイアスを調整することで、さらにきめ細かな転写バイアスの調整が行われ、最適な転写バイアスにより安定した転写処理を行うことが可能となる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る画像形成装置全体の概略断面図である。画像形成装置１の上部には用紙排紙トレイ１０が設けられ、その下部には、記録部２及び給紙部３が配されている。
【００１４】
給紙部３では、給紙カセット１１が配置されており、フラッパ１２に所定のサイズの用紙が複数枚積載されている。給紙カセット１１の右端部には、ピックアップローラ１３が配置されている。フラッパ１２は、積載された用紙の上面がピックアップローラ１３に圧接するように、図示しないバネ部材により上方に付勢されている。この状態でピックアップローラ１３が回転駆動すると、摩擦力により用紙が１枚ずつ用紙搬送路に給紙されるようになる。
【００１５】
給紙された用紙は、まずフィードローラ１４及びプレスローラ１５により記録部２に搬送される。記録部２では、搬送された用紙に記録するために、現像器１６、クリーニング機構１７、コロナ帯電器１８、感光体ドラム１９、転写ローラ２０、露光手段２１及び定着ローラ２２が備えられている。クリーニング機構１７は、転写後の感光体ドラム１９の表面に付着した残留トナーや紙粉等の異物をクリーニングローラにより捕捉して感光体ドラム１９の表面を清掃する。コロナ帯電器１８は、放電ワイヤからのコロナ放電により感光体ドラム１９の表面を一様に帯電する。一様に帯電された感光体ドラム１９に、露光手段２１で画像記録信号に応じて露光することで静電潜像が形成される。そして、現像器１６内のトナーを感光体ドラム１９に形成された静電潜像に転移させて、静電潜像を可視像化する。転写ローラ２０は、用紙を挟んで感光体ドラム１９と対向する位置に設置されており、所定の電圧が印加されると感光体ドラム１９表面に形成されたトナー像が用紙に転写される。そして、転写されたトナー像は、定着ローラ２２及びプレスローラ２３によって挟持されて加熱・プレスされ用紙に定着される。定着された用紙は、フィードローラ３４及びプレスローラ３５により排出経路に送られて、排出ローラ２４及びプレスローラ２５の間に挟持されて用紙排紙トレイ１０に搬出される。
【００１６】
また、装置本体の側面には、手差し給紙機構及び反転搬送機構が設けられており、手差し給紙を行う場合には、側面カバー２６を開いて給紙ローラ２７に用紙を差し込むことで行われる。差し込まれた用紙は、給紙ローラ２７によりフィードローラ１４及びプレスローラ１５に搬送されて記録動作が行われる。また、反転搬送を行う場合には、片面に記録した用紙が一旦排出ローラ２４及びプレスローラ２５の間に挟持されて搬出された後排出ローラ２４を逆回転して反転搬送路に搬送して、フィードローラ２８及びプレスローラ２９、フィードローラ３０及びプレスローラ３１の２対の搬送ローラにより下方に向けて搬送する。そして、フィードローラ３２及びプレスローラ３３により上方に向けて搬送されて、再度フィードローラ１４及びプレスローラ１５に搬送されてもう一方の面に記録動作が行われ、用紙の両面に記録されるようになる。また、画像形成装置１の中央部には、内部にトナーが貯留されているトナーカートリッジ３６が画像形成装置１から脱着可能に装着されており、トナーカートリッジ３６内のトナーは、図示されない経路により、現像器１６に適宜補充されるようになっている。
【００１７】
図２は、画像形成装置１の全体ブロック図を示している。本実施形態では、ファクシミリ機能及びプリンタ機能を備えており、具体的には、制御手段であるＭＰＵ１００、ネットワークとの交信制御を行うＮＣＵ１０１、ファクシミリ交信制御を行うＭＯＤＥＭ１０２、プログラム等を記憶するＲＯＭ１０３、データ等を記憶するＲＡＭ１０４、受信したり読み取った画像情報を記憶する画像メモリ１０５、画像情報を符号化又は復号化するＣＯＤＥＣ１０６、用紙の種類やサイズ、両面記録等の記録方法を設定するための各種操作キーを備え利用者に対してメッセージ等を表示する操作表示部１０７、外部のコンピュータ等からのプリント指令を受信するプリンタインタフェース１０８を備えている。これらの各機能ブロックは、互いにデータバス及びアドレスバスにより接続されており、ＭＰＵ１００により全体制御されるようになっている。そして、ファクシミリで受信した情報及びプリント指令とともに受信した情報は、記録制御部１０９に送信される。記録制御部１０９は、記録部２、給紙部３及び各用紙搬送ローラを制御して用紙に画像形成処理を行なう。
【００１８】
図３は、記録制御部１０９により制御される機構に関する概略図である。像形成される用紙は、一点鎖線で示す搬送径路に沿って搬送され、図示せぬ給紙カセットよりピックアップローラ１３により給紙されてフィードローラ１４及びプレスローラ１５により記録部に搬送される。
【００１９】
感光体ドラム１９は、円筒状で、外周面に感光体として所定膜厚の光導電膜が設けられている。感光体ドラム１９は主モータ６０により回転駆動され、コロナ帯電器１８、露光手段２１及び現像装置１６によってその表面に像形成が行われる。コロナ帯電器１８は、放電ワイヤからのコロナ放電により感光体ドラム１０の外周面を一様に帯電するように作用する。
【００２０】
現像器装置１６は、後述するトナー補給装置からトナー補給を受け、現像装置内において撹拌器３７によりトナーを撹拌しながら現像ローラ３８にトナーを供給し、現像ローラ３８から感光体ドラム１９表面にトナーを転移して表面に形成された静電潜像を可視像化する。現像ローラ３８には、ブレード３９が当接しており、現像ローラ３８の表面に均一なトナー層を形成する。
【００２１】
転写ローラ２０は、高電圧の転写電圧が印加されてその電界吸引力により感光体ドラム１０の表面に現像されたトナーを移動させる。感光体ドラム１９と転写ローラ２０との間に用紙が存在している場合には用紙にトナーが転写されるようになる。用紙に転写されたトナーは図示せぬ除電ブラシにより電荷が除かれる。
【００２２】
クリーニング機構１７は、転写ローラ２０の下流側に配置されており、感光体ドラム１９の表面に接触して表面に付着している紙粉等の異物を除去する。
【００２３】
転写されたトナー像は、定着ローラ２２及びプレスローラ２３によって狭持されて加熱・プレスされ用紙に定着される。定着ローラ２２内にはヒータランプが設けられており、ヒータランプを発熱させて加熱する。定着された用紙は、さらに搬送されて排紙ローラ２４及びプレスローラ２５の間に狭持されて図示せぬ用紙排出トレイに搬出される。
【００２４】
以上のような画像形成処理動作及び用紙搬送動作は、記録制御部１０９により主モータ４０及び図示せぬクラッチ機構等の駆動伝達機構を制御して感光体ドラム１０や各種ローラを回転駆動して行われる。また、クリーニング機構１７、コロナ帯電器１８、現像ローラ３８及び転写ローラ２０に印加される電圧の制御は、現像電圧印加回路４０、帯電電圧印加回路４１、クリーニング電圧印加回路４２、転写電圧印加回路４３をそれぞれ記録制御部１０９が制御することにより行われる。
【００２５】
トナー補給装置では、トナーカートリッジ３６を保持する保持体５０からトナー送出路５１を通って搬送スパイラル５２を内蔵したホッパ５３にトナーが送出される。ホッパ５３から搬送スパイラル５５を内蔵するトナー搬送路５４を通って現像装置１６にトナーが補給される。
【００２６】
トナーカートリッジ３６の装着は、装着センサ５６からの検知信号により装着検知回路５８が検知するようになっている。トナーカートリッジ３６には、そのタイプに対応する識別情報を記憶する記録媒体が取り付けられており、装着センサ５６は、装着の有無の検知とともに装着されたトナーカートリッジのタイプの識別情報についても検知するようになっている。装着検知回路５８は、こうした検知情報を記録制御部１０９に送信する。
【００２７】
また、現像装置１６には、トナー残量を検知する光学センサ５７が設けられており、光学センサ５７からの検知信号はトナー残量検知回路５９に送信されて、トナー残量が所定レベルより少なくなった場合にトナー残量検知回路５９から記録制御部１０９に検知信号が出力される。
【００２８】
転写ローラ２０には、電流検知回路４４が接続されており、転写電圧印加回路４３から転写ローラ２０に電圧が印加された場合に転写ローラ２０と感光体ドラム１９との間に流れる電流値を検知する。検知された電流値は、記録制御部１０９にフィードバックされて後述するように、転写電圧の制御に用いられる。なお、この例では、転写バイアスとして転写電圧を印加して転写ローラ２０と感光体ドラム１９との間に流れる電流値を検知するようにしているが、転写バイアスとして電流を印加する場合には、転写ローラ２０と感光体ドラム１９との間に発生する電圧値を検知するようにしてもよい。
【００２９】
また、装置内の温度を検知する温度検知センサ６０及び湿度を検知する湿度検知センサ６１が設けられており、各検知センサの検知信号は記録制御部１０９に送信されて転写電圧の制御に用いられる。
【００３０】
図４は、転写電圧の制御を行うための回路構成を示す概略図である。記録制御部１０９の制御回路１１０は、転写電圧印加回路４３の可変抵抗回路４６を調整して定電圧源４５から転写ローラ２０に印加される電圧を制御する。転写電圧印加回路４３と転写ローラ２０との間には電流検知回路４４及びリミッタ回路４７が接続されている。電流検知回路４４は、上述したように感光体ドラム１９と転写ローラ２０との間に流れる電流を検知して制御回路１１０にフィードバックする。リミッタ回路４７は、入力電圧が設定範囲を超えた場合に出力電圧が設定値以上とならないように抑制する。したがって、転写ローラ２０に印加される転写電圧が異常に上昇することがないようにされている。
【００３１】
また、感光体ドラム１９が転写ローラ２０と対向する領域の上流側及び下流側にそれぞれ濃度検知センサ６３及び６４が配置されている。そして、濃度検知センサ６３及び６４により検知された転写前後の感光体ドラム１９表面のトナー濃度に基づいて制御回路１１０は後述するように設定された転写電圧値のオフセット値を決定する。転写後の濃度を検知する濃度検知センサ６４の検知信号は、リミッタ回路４８を介して制御回路１１０に入力される。転写後の検知データが極端に変動する場合があるため、リミッタ回路４８により検知データを設定値以上とならないように抑制することで、オフセット値を適当な値に設定することができる。濃度検知センサ６３及び６４は、例えば、発光素子及び受光素子からなる光学センサを用いればよい。そして、発光素子の光が感光体ドラム１９の表面で反射して受光素子に入射した光を検知することで、感光体ドラム１９表面のトナー濃度を検知することができる。
【００３２】
図５は、濃度検知センサ６３及び６４により検知するテストパターンの一例を示す模式図である。この例では、矩形状のハーフトーンパターンＨとソリッドパターンＳが感光体ドラム１９の記録領域から外れた端部領域において周方向に配列されている。ハーフトーンパターンＨは、小さい矩形状のパターンを網目状に配列しており、ソリッドパターンＳは全体をベタで記録されている。濃度検知センサ６３及び６４で検知する場合には、感光体ドラム１９の回転により例えば最初にハーフトーンパターンＨが検知されそれに続いてソリッドパターンＳが検知されるので、両方のパターンの濃度検知を順次検知することができる。
【００３３】
こうしたテストパターンを像形成する場合には、記録制御部１０９がテストパターン像形成制御手段として機能する。すなわち、テストパターン情報を記憶するＲＯＭ１０３から記録制御部１０９が読み出して通常の画像形成処理と同様に静電潜像形成して現像装置１６によりトナーで像形成すればよい。テストパターンの像形成は、画像形成処理を行う際の前回転処理や後回転処理に併せて行うようにすれば、通常の画像形成処理に影響を与えることなく処理することができる。
【００３４】
ハーフトーンパターンＨとソリッドパターンＳをテストパターンとして用いた場合、ソリッドパターンＳに比べてハーフトーンパターンＨの方がトナーが抜けやすい傾向がある。これは、ハーフトーンパターンＨの方がトナー同士の結びつきが弱いためと考えられる。したがって、転写電圧が強すぎる場合には過転写の現象が生じ、転写後においてソリッドパターンＳに比べてハーフトーンパターンＨの方が濃度が薄くなるようになる。したがって、濃度検知センサ６３及び６４の検知データを比較してハーフトーンパターンＨの濃度変化の方が大きい場合には過転写と判定できる。また、両方の濃度が薄くなる場合には転写不足と判定して別途対策が必要となる。制御回路１１０では、入力された濃度検知センサ６３及び６４の検知データに基づいて両者を比較して処理してもよいし、それぞれのセンサの検知データを別個に所定の閾値と比較して処理するようしてもよい。
【００３５】
制御回路１１０は、転写電圧を制御する場合、まず用紙の種類（普通紙、封筒、ＯＨＰ、はがき）及びサイズ、Ｂ／Ｗ比（画像データの１ライン毎の黒と白のドット数比率）及び裏面記録が否かといったパラメータに応じて転写電圧を設定する。こうした転写電圧の設定値は、予め記憶部１１１に各パラメータに関連付けて記憶されている。例えば、パラメータの所定範囲ごとに転写電圧の設定値を記憶したテーブルを作成したり、パラメータごとに関数により転写電圧の設定値を決めるようにしてもよい。
【００３６】
図４では、こうしたパラメータに関連付けて電流検知回路４４で検知される電流値の関数で転写電圧を設定している。例えば、電流値ｘiに対して転写電圧値Ｖiを
Ｖi＝ａｘi＋ｂ＋ｃ
というように一次式の関数で設定する。ａ及びｂは定数であり、その値は、パラメータに応じて設定される。例えば、用紙の種類やサイズ毎にａ及びｂを決めて転写電圧値Ｖiの設定関数群１１３として記憶部１１１に記憶される。
【００３７】
定数ｃはオフセット値であり、この場合は電流値ｘiに対応して関数毎に設定されている。そして、オフセット値ｃは、濃度検知センサ６３及び６４の検知結果に対応して設定されたオフセット設定テーブル１１２から読み出して転写電圧値Ｖiの関数に用いられる。例えば、上述したように、転写後の濃度検知センサ６４のみが濃度が薄くなったことを検知した場合には過転写の状態にあると判定されるので、そうした検知データに対応して予め設定されたオフセット値ｃ’が読み出される。オフセット値ｃ’は、転写電圧を小さくして過転写状態が解消されるように設定されている。
【００３８】
以上のように、電流検知回路４４により検知される電流値に基づいて転写電圧を設定する際にオフセット値を用いて設定するとともにそのオフセット値を濃度検知センサの転写前後の検知結果に基づいて変更することで、トナーの転写状態に応じてきめ細かく転写電圧を調整することができる。上述した例では、電流検知回路４４により検知される電流値をパラメータとしてオフセット値を設定しているが、これ以外にも温度検知センサ６０及び湿度検知センサ６１により検知される温度データ及び湿度データ、画像形成処理した用紙の枚数（図示せぬ積算枚数カウンタによりカウント）、トナーカートリッジにおけるトナーの初期充填量（装着検知回路５８により検知されたトナーカートリッジのタイプから初期充填量をＲＡＭ等のメモリから読み出す）、現像装置１６内のトナー残量（トナー残量検知回路５９からの検知信号による）といったパラメータでも同様にオフセット値を設定し、設定されたオフセット値を濃度検知センサの転写前後の検知結果に基づいて変更するようにしてもよい。また、こうしたパラメータを単独で用いてもよいし、複数の組合せで複合的にオフセット値を設定することもできる。
【図面の簡単な説明】
【００３９】
【図１】本発明に係る実施形態に関する画像形成装置全体の概略断面図である。
【図２】本発明に係る実施形態に関する全体ブロック図である。
【図３】記録制御部により制御される機構に関する概略図である。
【図４】転写電圧の制御を行うための回路構成を示す概略図である。
【図５】テストパターンを示す模式図である。
【符号の説明】
【００４０】
１    画像形成装置
２    記録部
３    給紙部
16    現像装置
17    クリーニング機構
18    コロナ帯電器
19    感光体ドラム
20    転写ローラ
【図１】
2006343525.tif 000003
【図２】
2006343525.tif 000004
【図３】
2006343525.tif 000005
【図４】
2006343525.tif 000006
【図５】
2006343525.tif 000007